(57)【要約】【課題】  画像形成装置において、スキャナで読み取った画像をネットワークで接続されたホストのディレクトリに保存する際に、実際に書き込んで見ないと保存可能かどうかわからなかった。【解決手段】  本発明の画像形成装置では、ホストのディレクトリに対してダミーファイルの書込みを行い、書込み可であることを確認できたディレクトリのみを表示して選択可能とする方法とした。【選択図】図２
2008258957.tif 000002
【特許請求の範囲】
【請求項１】
所定のデータをネットワークで接続されたホスト電子機器に通信手段を用いて保存可能な画像形成装置であって、
ネットワーク上の前記ホスト電子機器を検索するホスト検索部と、
前記ホスト電子機器のディレクトリにダミーファイルを書込んで、書き込み可能かどうかを確認する書込み確認部と、
前記書込み確認部により書き込み可能と確認された前記ディレクトリを表示する書込み可能ディレクトリ表示部と、を有する
ことを特徴とする画像形成装置。
【請求項２】
請求項１の画像形成装置であって、
ユーザのログイン認証を行うログイン認証部と、
前記ユーザが前記ログイン認証に基づいてアクセスするネットワーク上のホスト電子機器及びディレクトリの情報を記録するユーザ情報記録部と、を有し、
前記書込み確認部は、前記ユーザ情報記録部が記録する前記ホスト電子機器及びディレクトリに書込み可能かどうかを確認する
ことを特徴とする画像形成装置。
【請求項３】
請求項１または２の画像形成装置であって、
前記書込み確認部は、前記書込みが行われたダミーファイルの消去を行う
ことを特徴とする画像形成装置。
【請求項４】
請求項１から３のいずれかの画像形成装置であって、
前記所定のデータが、スキャナで読み取った画像データ、ＦＡＸ受信した画像データ、電子メール受信した画像データ若しくは印刷した画像データ又はそれらの自由な組み合わせである
ことを特徴とする画像形成装置。
【請求項５】
コンピュータに通信機能を実現させて、所定のデータをネットワークで接続されたホスト電子機器上に保存可能とさせるための制御プログラムであって、
ネットワーク上のホスト電子機器を検索する検索機能と、
前記ホスト電子機器のディレクトリにダミーファイルを書込んで、前記ディレクトリに書き込み可能かどうかを確認する書込み確認機能と、
前記書込み確認手段により書き込み可能と確認された前記ディレクトリを表示する書込み可能ディレクトリ表示機能と、
をコンピュータに実現させるための制御プログラム。
【請求項６】
請求項５の制御プログラムであって、
ユーザのログイン認証を行うログイン認証機能と、
前記ログイン認証に基づいて、前記ユーザがアクセスする前記ネットワーク上のホスト電子機器及びディレクトリの情報を記録するユーザ情報記録機能と、
をコンピュータに実現させて
前記書込み確認機能は、前記ユーザ情報記録手段が記録する前記ホスト電子機器及びディレクトリに書込み可能かどうかを確認する
ことを特徴とする制御プログラム。
【発明の詳細な説明】
【技術分野】
【０００１】
画像形成装置においてスキャナで読み取った画像データ等をネットワークで接続されたホスト（ＰＣ（Personal Computer）やサーバなどの電子機器）上に保存する際に、書込み可能なホスト及びディレクトリのみを表示させることに関するものである。
【背景技術】
【０００２】
画像形成装置のスキャナで画像読み取りを行う際には、読み取った画像を保存する保存先を指定する。この場合の保存先は、画像形成装置内の保存場所に限らず、ネットワークで接続されたＰＣ等ホスト電子機器上の共有ディレクトリに保存することが可能である。
【０００３】
従来技術として、画像形成装置からＬＡＮ上のＰＣに送信するのに必要な宛先（宛先情報：ホスト名やディレクトリ名）を探索し、その探索結果のリストを液晶タッチパネルに表示して選択させることにより設定させることにより、上記宛先情報を簡単に設定することが可能となる方法がある（特許文献１参照）。
【０００４】
しかし、この方法ではアクセス許可が書込み不可能に設定されている共有ディレクトリが設定された場合、読取った画像データを実際に送信してみるまで、アクセス許可が書込み可能な共有ディレクトリが設定されていることを確認できない。
【０００５】
【特許文献１】特開２００３−２７４１０２号公報
【発明の開示】
【発明が解決しようとする課題】
【０００６】
解決しようとする問題点は、画像形成装置がネットワークで接続されたホストのディレクトリにデータを書き込む際には、アクセス許可が書込み可能かどうか事前にわからないために、書込み不可能なディレクトリを選択してしまうことを防止することができなかった点である。
【課題を解決するための手段】
【０００７】
本発明の画像形成装置は、所定のデータをネットワークで接続されたホスト電子機器に通信手段を用いて保存可能な画像形成装置であって、ネットワーク上の前記ホスト電子機器を検索するホスト検索部と、前記ホスト電子機器のディレクトリにダミーファイルを書込んで、書き込み可能かどうかを確認する書込み確認部と、前記書込み確認部により書き込み可能と確認された前記ディレクトリを表示する書込み可能ディレクトリ表示部と、を有することを最も主要な特徴とする。
【０００８】
本発明の制御プログラムは、コンピュータに通信機能を実現させて、所定のデータをネットワークで接続されたホスト電子機器上に保存可能とさせるための制御プログラムであって、ネットワーク上のホスト電子機器を検索する検索機能と、前記ホスト電子機器のディレクトリにダミーファイルを書込んで、前記ディレクトリに書き込み可能かどうかを確認する書込み確認機能と、前記書込み確認手段により書き込み可能と確認された前記ディレクトリを表示する書込み可能ディレクトリ表示機能と、をコンピュータに実現させるための制御プログラムであることを最も主要な特徴とする。
【発明の効果】
【０００９】
本発明の画像形成装置は、所定のデータをネットワークで接続されたホスト電子機器に通信手段を用いて保存可能な画像形成装置であって、ネットワーク上の前記ホスト電子機器を検索するホスト検索部と、前記ホスト電子機器のディレクトリにダミーファイルを書込んで、書き込み可能かどうかを確認する書込み確認部と、前記書込み確認部により書き込み可能と確認された前記ディレクトリを表示する書込み可能ディレクトリ表示部と、を有することを最も主要な特徴とするため、画像データを実際に送信する前に、アクセス許可が原因で書込みできない現象を認識でき、書込み可能なディレクトリのみを表示するので確実に画像データを送信可能となった。
【００１０】
本発明の制御プログラムは、コンピュータに通信機能を実現させて、所定のデータをネットワークで接続されたホスト電子機器上に保存可能とさせるための制御プログラムであって、ネットワーク上のホスト電子機器を検索する検索機能と、前記ホスト電子機器のディレクトリにダミーファイルを書込んで、前記ディレクトリに書き込み可能かどうかを確認する書込み確認機能と、前記書込み確認手段により書き込み可能と確認された前記ディレクトリを表示する書込み可能ディレクトリ表示機能と、をコンピュータに実現させるための制御プログラムであることを最も主要な特徴とするため、画像データを実際に送信する前に、アクセス許可が原因で書込みできない現象を認識でき、書込み可能なディレクトリのみを表示するので確実に画像データを送信可能となった。
【実施例１】
【００１１】
画像形成装置では、スキャナで読み取った画像データやＦＡＸ受信した画像データや電子メール受信した画像データ若しくは印刷した画像データをネットワークで接続されたホスト（ＰＣ（Personal Computer）、サーバ、画像形成装置などの電子機器）に保存できる。本発明ではその保存先のホスト及びそのディレクトリを表示する際に、あらかじめ書き込み可能であるかどうかを確認してから表示を行う。
【００１２】
［構成］
図１は、本発明の実施例に係わる画像形成装置の機能ブロック図である。
【００１３】
画像形成装置１０１は、ログイン認証部１１１、表示部１１３（書き込み可能ディレクトリ表示部）、ユーザ情報記録部１１５、ホスト検索部１１７、書込み確認部１１９、通信部１２１を有している。通常の画像形成装置に備わっている印刷部などの他の機能ブロックについては、本発明の本質には関係ないので省略した。
【００１４】
画像形成装置１０１は、その通信部１２１より、ネットワーク３０１を通してホスト１；２０１（ＰＣ（Personal Computer）、サーバ、画像形成装置などの電子機器）、ホスト２；２０３（同上）、ホスト３；２０５（同上）と接続されている。
【００１５】
次に画像形成装置１０１の各機能ブロックについて説明する。
【００１６】
ログイン認証部１１１は、ユーザからのログイン名及びパスワードの入力や、ユーザの所持するＩＣカードとの通信などにより、ユーザのログインを確認する。
【００１７】
ユーザ情報記録部１１５は、ユーザの氏名、所属などのユーザ情報と共に、ユーザが使用するホスト名及びその書込みを行う共有ディレクトリ名を記録しておく。そのホストにアクセスするのにユーザ名及びパスワードが必要であればそれらも共に記録しておく。前記ログイン認証部１１１で認証されたユーザが、自身の上記のユーザ情報にアクセス可能である。
【００１８】
ホスト検索部１１７は、画像形成装置に接続されているホストを検索する。ホスト情報は、ネットワークに対してブロードキャストを行って、応答してきたサーバからそのサーバ名、ＩＰアドレス、ＭＡＣアドレス及び共有ディレクトリ等の情報を取得する。
【００１９】
書込み確認部１１９は、前記ユーザ情報記録部１１５が保持するホスト及びそのディレクトリ情報に基づいて、その該ホストの該ディレクトリに対してと、前記ホスト検索部が取得したホストの共有ディレクトリに対してダミーファイルの書込みを行い、実際にそれらのディレクトリが書き込み可能であるかどうかを確認する。書込み後は該書き込まれたダミーファイルをホスト先から消去する。
【００２０】
表示部１１３（書込み可能ディレクトリ表示部）は、画像形成装置の情報を表示すると共に、書込み確認部１１９が書込みを確認したホストのディレクトリをデータの保存先として表示する。書込み不可能であったディレクトリは表示されないので、ユーザが誤ってそれらの書込み不可ディレクトリへの書込みを選択してしまって応答が無いためのタイムアウト時間の経過まで待たされるなどの無用な時間を費やしてしまうことが無くなった。
【００２１】
通信部１２１は、前記各機能ブロックとネットワークとをつなぐインターフェースである。画像形成装置１０１は、通信部１２１を通して外部のホスト（２０１，２０３，２０５）との間で情報の授受を行う。
【００２２】
［フローチャート］
図２のフローチャートを用いて動作の流れについて説明する。
【００２３】
Ｓ１１：ユーザ認証部１１１によりユーザのログイン認証が行われると、ユーザ情報記録部１１５よりそのユーザの持つ保存先ホスト及びディレクトリ（必要であればそのログイン名、パスワード）を取得する。
【００２４】
Ｓ１３：ホスト検索部１１７がネットワーク上のホストを検索してホスト情報を取得する。
【００２５】
Ｓ１５：前記Ｓ１１とＳ１３で取得されたホストへのアクセスを行ってリストアップする。この時点でホストからの応答の無いものはリストから除かれる。
【００２６】
Ｓ１７：前記Ｓ１５でリストアップされたホストの共有ディレクトリ内にダミーファイルを作成する。
【００２７】
Ｓ１９：ダミーファイルの作成が可能であったかどうかを判断する。可能であった場合はＳ２１に動作を移行する。不可能であった場合は、動作をＳ２３に移行する。
【００２８】
Ｓ２１：保存先が書き込み可であるので、表示するディレクトリのリストに追加する。書き込まれたダミーファイルを削除する。
【００２９】
Ｓ２３：Ｓ１５で作成されたリストの中にまだダミーファイルの書込みが可能であるかどうかの確認をしていないディレクトリが有るかどうかを判断する。有る場合は動作をＳ１７に移行する。無い場合は動作をＳ２５に移行する。
【００３０】
Ｓ２５：前記Ｓ２１で追加された書込み可ディレクトリのリストを表示部１１３にて表示を行う。
【００３１】
以上の一連の動作により保存先ディレクトリの表示を終了する。
【００３２】
［実施例の効果］
本発明実施例の画像形成装置は、画像データを実際に送信する前に、アクセス許可が原因で書込みできない現象を認識でき、確実に画像データを送信可能となった。
【００３３】
保存先ディレクトリのアクセス許可が書込み可能かどうか事前にチェックし、アクセス許可が書込み可能なディレクトリのみを表示部に表示して、ユーザに選択させるので、ユーザはアクセス許可が書込み不可能なディレクトリを選択してしまって応答の無い間待たされることや待った結果としてそのディレクトリには書込みができないとわかるなどの時間の無駄が無くなった。
【００３４】
本方法では、ネットワークにブロードキャストを行って応答してきたホストの共有ディレクトリとユーザが保持しているホスト、ディレクトリ及びユーザログイン情報の共有ディレクトリとの二種類の共有ディレクトリについて書き込み可であるかどうかを確認可能である。
【００３５】
書き込まれたダミーファイルは、書込み後ホスト先から消去されるので、ホスト先のメモリが無駄に消費されることは無い。
【図面の簡単な説明】
【００３６】
【図１】本発明実施例の画像形成装置の機能ブロック図である（実施例１）。
【図２】本発明実施例の画像形成装置のフローチャートである（実施例１）。
【符号の説明】
【００３７】
１０１  画像形成装置
１１１  ログイン認証部
１１３  表示部（書込み可能ディレクトリ表示部）
１１５  ユーザ情報記録部
１１７  ホスト検索部
１１９  書込み確認部
１２１  通信部
２０１，２０３，２０５  ホスト（ホスト電子機器）
３０１  ネットワーク
【図１】
2008258957.tif 000003
【図２】
2008258957.tif 000004